(57)【特許請求の範囲】
【請求項１】
ディスクの内周側に設けられている試し書き領域にテスト信号を記録することによってレーザー出力の設定動作を行うとともに試し書き領域の外側に設けられているバッファ領域に信号の記録位置を示す情報データを記録するように構成された光ディスク記録再生装置の記録制御方法であり、試し書き領域へのテスト信号の記録動作によるレーザー出力の設定動作が行われたとき、該設定動作により設定されたレーザー出力のデータをバッファ領域に記録データとして記録するとともに該バッファ領域に記録されている情報データの消去動作を行うとき、該バッファ領域にレーザー出力のデータである記録データが記録されているか否かを判定し、記録データが記録されていないと判定された場合には該バッファ領域に記録されている情報データの消去動作を行い、前記判定動作により記録データが記録されていると判定された場合には該記録データをバッファ領域の先頭部分に記録した後該記録データが記録された先頭部分以外のバッファ領域に記録されている信号の消去動作を行うようにしたことを特徴とする光ディスク記録再生装置の記録制御方法。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を繰り返し記録することが出来るように構成された光ディスク記録再生装置が商品化されている。
【０００３】
斯かる光ディスク記録再生装置では、レーザーによってディスク上にピットを形成するように構成されているが、レーザーの出力が最適でなかった場合には、ピットの形状が大きすぎたり小さすぎたりすることになる。そのため、斯かる光ディスク記録再生装置に使用されるディスクには、最内周側に試し書き領域が設けられており、その試し書き領域に信号を記録した後再生し、その再生信号を検出することによって記録のためのレーザー出力を設定するように構成されているが、斯かる技術としては、例えば特開平６−７６２８８号公報に開示されたものがある。
【０００４】
【発明が解決しようとする課題】
ディスクに信号を記録する動作は、レーザー素子より出力される光ビームにて該ディスク上に設けられている信号トラックにピットを形成することによって行われるが、そのピットの大きさは規定の大きさになるように設定されている。斯かる信号の記録動作は、ディスクを所定の線速度一定の状態にて回転駆動させることによって行われるが、最近では、記録動作時の線速度を所定の速度の数倍にした状態にて行うことが出来るようにした光ディスク記録再生装置が製品化されている。
【０００５】
光ディスク記録再生装置における信号の記録動作は、ディスクに設けられている信号記録領域に対して行われるが、斯かる記録動作は、信号の記録位置を示す情報データをディスクの内周側に設けられているＰＭＡと呼ばれるバッファ領域に記録し、そのバッファ領域に記録されている情報データを利用することによって所望の位置より信号の記録動作を開始させるように構成されている。
【０００６】
また、斯かる光ディスク記録再生装置では、前記バッファ領域より更に内周側に設けられている試し書き領域にテスト信号を記録することによってディスクの特性に合致したレーザー出力を設定するように構成されているが、試し書き領域には制限があり、例えば１００回の設定動作を行うことが出来るように規定されている。そして、斯かるディスクは、前述した設定動作が何回行われたかを示すカウント数を記録するカウント領域が前記試し書き領域とバッファ領域との間に設けられており、設定動作が終了する毎にカウント数が記録されるように構成されている。
【０００７】
斯かる光ディスク記録再生装置では、テスト信号の記録動作によるレーザー出力の設定動作を１００回行うと、次のレーザー出力の設定動作を行うことが出来ないため、最適なレーザー出力では無い出力によって記録動作が行われることになり、記録動作を正確に行うことが出来ないという問題がある。
【０００８】
本発明は、斯かる問題を解決した光ディスク記録再生装置のレーザー出力設定方法を提供しようとするものである。
【０００９】
【作用】
本発明は、ディスクの内周側に設けられている試し書き領域にテスト信号を記録することによってレーザー出力の設定動作を行うとともに試し書き領域の外側に設けられているバッファ領域に信号の記録位置を示す情報データを記録するように構成された光ディスク記録再生装置において、レーザー出力設定動作が行われたとき、バッファ領域に設定されたデータを記録データとして記録するとともに該バッファ領域に記録されている情報データの消去動作を行うとき、該バッファ領域に記録データが記録されているか否かを判定し、記録データが記録されていた場合、該記録データをバッファ領域の先頭部分に記録するようにしたものである。
【００１０】
【実施例】
図１は本発明の記録制御方法を示すフローチャート、図２は本発明に係る光ディスク記録再生装置の一実施例を示すブロック回路図である。
【００１１】
図２において、１はスピンドルモーター(図示せず)によって回転駆動されるターンテーブル(図示せず)に載置されるとともに該ターンテーブルの回転により回転駆動されるディスクであり、位置情報データがプリグルーブと呼ばれる蛇行した溝によって記録されており、この溝より得られるウォブル信号に基づいて信号の記録再生動作が行われるように構成されている。２はディスク１に光ビームを照射させるレーザー素子及び該レーザー素子より照射される光をモニターするモニター用ダイオードが組み込まれているとともにディスク１の信号面より反射される光ビームを受ける光検出器が組み込まれている光学式ピックアップ、３は前記光学式ピックアップ２をディスク１の径方向に移動させるピックアップ送り用モーターである。
【００１２】
４は前記光学式ピックアップ２に組み込まれている光検出器から得られるＲＦ信号を増幅するとともに波形成形するＲＦ信号増幅回路、５は前記ＲＦ信号増幅回路４を介して得られる信号に基づいて前記光学式ピックアップ２の光ビームをディスク１の信号面に合焦させるフォーカシング制御動作及び該光ビームを前記信号面の信号トラックに追従させるトラッキング制御動作を行うピックアップ制御回路である。
【００１３】
６は前記ＲＦ信号増幅回路４より出力される信号のデジタル信号処理を行うとともに各種信号の復調動作を行うデジタル信号処理回路、７は前記デジタル信号処理回路６にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままコンピューター装置８に出力する作用を成すものである。
【００１４】
９は前記デジタル信号処理回路６により復調された信号が入力されるとともに前記コンピューター装置８からの命令信号に応じて種々な制御動作を行うシステム制御回路である。１０は前記システム制御回路９によって動作が制御されるピックアップ送り用モーター駆動回路であり、前記ピックアップ送り用モーター３を回転駆動制御する作用を有している。
【００１５】
１１は前記光学式ピックアップ２に組み込まれているレーザー素子を駆動する信号を供給するレーザー駆動回路、１２は前記システム制御回路９によって動作が制御されるレーザー出力制御回路であり、前記レーザー駆動回路１１を制御することによってレーザーの出力を設定するように構成されている。１３はテスト信号や情報信号等の記録信号が入力されるとともにその信号に対応させて前記レーザー駆動回路１１によるレーザーの照射動作を制御することによって信号を前記ディスク１に記録させる信号記録用回路である。
【００１６】
斯かる構成において、ディスク１の特性に適したレーザー出力を設定する動作は、ディスク１の内周側に設けられている試し書き領域にテスト信号をレーザーの出力を変化させながら記録することによって行われるが、斯かる動作は周知であるため、その説明は省略する。また、レーザー出力の設定動作が終了するとカウント領域に設定された回数を示す信号を記録する動作が行われる。
【００１７】
更に、レーザー出力の設定動作が終了すると、ディスク１に設けられているとともに信号の記録位置を示す情報データが記録されるバッファ領域にレーザー出力の設定動作によって得られた記録データを記録する動作が行われるように構成されている。
【００１８】
また、斯かる構成において、バッファ領域に記録されている情報データの消去動作を行う場合には、該バッファ領域に記録データが記録されているか否かの判定動作を行い、記録データが記録されている場合には、その信号を読み出した後、該バッファ領域の先頭部分にその記録データを記録するように構成されている。そして、斯かる記録データの先頭部分への記録動作が終了すると、バッファ領域の記録データが記録されている部分以外の領域の消去動作を行うように構成されている。
【００１９】
以上の如く、本発明に係る光ディスク記録再生装置は構成されているが、次に斯様に構成された回路における再生動作について説明する。コンピューター装置８より再生動作を行うための命令信号が出力されると、システム制御回路９による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１１より供給されるように設定されている。
【００２０】
斯かる再生動作のための制御動作が開始されると、スピンドルモーター駆動回路（図示せず）によるスピンドルモーターの回転制御動作が行われるとともに光学式ピックアップ２のフォーカシング制御動作及びトラッキング制御動作が開始されて該光学式ピックアップ２によるディスク１からの信号の読み出し動作が開始される。前記光学式ピックアップ２によって読み出された信号は、ＲＦ信号増幅回路４を通してデジタル信号処理回路６に入力されて信号の復調動作が行われる。前記デジタル信号処理回路６により信号処理が行われて情報データが抽出されると、該情報データは誤り訂正等の信号処理が行われた後、信号再生用回路７に印加される。
【００２１】
そして、前記信号再生用回路７は、ディスク１から読み出された情報データがオーディオ信号である場合には、アナログ信号に変換した後増幅器等に出力し、コンピューターソフトのようなデータ信号の場合にはデジタル信号のままコンピューター装置８に出力することになる。
【００２２】
以上に説明したように本実施例における再生動作は行われるが、次に記録動作について説明する。
【００２３】
信号の記録動作を行うためにディスク１をディスクの装着部に挿入すると、まず挿入されたディスク１がブランクディスク、即ち信号が全く記録されていないディスクであるか否かの判定動作が行われるが、斯かる動作はバッファ領域に情報データや記録データが記録されているか否かを検出することによって行うことが出来る。斯かる判定動作によってディスク１がブランクディスクであると判定されると、ディスク１の内周側に設けられている試し書き領域にテスト信号の記録動作を行うことによってレーザー出力等の記録条件を設定するとともに試し書き領域の外周側に設けられているカウント領域にカウント数を記録する動作が行われる。斯かる記録条件の設定動作が終了すると、前記カウント領域の外周側に設けられているバッファ領域に設定された記録条件を示す記録データを記録する動作が行われる。
【００２４】
斯かる動作が終了すると、レーザー出力の設定動作によって設定された記録条件によって信号のディスク１への記録動作が行われる。斯かる記録動作は、設定された記録条件に基づいてレーザー出力制御回路１２による制御動作が行われ、レーザー駆動回路１１より光学式ピックアップ２に組み込まれているレーザー素子にディスク１の特性に合致したレーザー出力が得られる駆動信号が出力される。そして、ピックアップ送り用モーター駆動回路１０によるピックアップ送り用モーター３の回転駆動動作及びピックアップ制御回路５による制御動作によって光学式ピックアップ２を信号の記録動作を行う位置に移動せしめ、斯かる移動動作によって光ビームが所望の位置に移動したとき、ディスク１への記録動作が開始される。
【００２５】
記録動作に使用されるディスク１がブランクディスクの場合の動作は前述したように行われるが、ブランクディスクで無い場合には、光学式ピックアップ２をバッファ領域に移動させて該バッファ領域に記録されている信号を再生するための動作が行われる。このようにしてバッファ領域に記録されている信号の再生動作が行われると、該バッファ領域に記録データが記録されているか否かの判定動作が行われる。
【００２６】
斯かる判定動作によって、バッファ領域に記録データが記録されていないと判定されると、前述したブランクディスクの場合と同様に試し書き領域へのテスト信号の記録動作による記録条件の設定動作及びカウント領域へのカウント数の記録動作が行われる。斯かる動作が行われると、前述したようにバッファ領域への記録データの記録動作を行った後、所望の記録領域への信号の記録動作を開始する。
【００２７】
バッファ領域に記録データが記録されていると判定されると、読み出された記録データに基づいて、レーザー出力制御回路１２によるレーザー制御動作が行われ、レーザー駆動回路１１より光学式ピックアップ２に組み込まれているレーザー素子に対してディスク１の特性に合致した駆動信号が供給されることになり、ディスク１への信号の記録動作を最適な状態にて行うことが出来る。
【００２８】
以上に説明したように本実施例における信号の記録動作は行われるが、次に本発明の要旨である記録制御方法について図１に示したフローチャートを参照して説明する。
【００２９】
ディスク１に信号を繰り返し記録することが出来る光ディスク記録再生装置では、ディスク１に記録されている信号の消去動作を行う場合には、バッファ領域に記録されている情報データの消去動作を行うように構成されており、斯かる消去動作を行うと該バッファ領域に記録されている記録データが消去されることになる。
【００３０】
本発明は、斯かる点に鑑みて成されたものであり、バッファ領域に記録されている情報データを消去するため動作が開始されると、まずバッファ領域に記録されている信号の再生動作が行われる（ステップＡ）。バッファ領域に記録されている信号の再生動作が行われると、その再生信号の中に記録データが含まれているか、即ちバッファ領域に記録データが記録されているか否かの判定動作が行われる（ステップＢ）。
【００３１】
ステップＢにおいて、記録データが記録されていないと判定された場合には、バッファ領域に記録されている信号の消去動作を行う（ステップＣ）。ステップＢにおいて、記録データが記録されていると判定された場合には、再生された記録データをバッファ領域の先頭部分に記録する動作を行う（ステップＤ）。斯かる記録動作が行われると、バッファ領域の記録データが記録されている先頭部分以外の領域の消去動作を行う（ステップＥ）。
【００３２】
斯かる動作が行われる結果、次に斯かる記録制御処理されたディスクを使用して記録動作を行う場合には、バッファ領域に記録されている記録データを利用することによってレーザーの出力設定動作を行う必要がなくなる。
【００３３】
【発明の効果】
本発明は、バッファ領域に記録されている情報データの消去動作を行うとき、レーザー出力を設定する記録データが記録されているか否かを判定し、記録データが記録されていた場合には、該記録データをバッファ領域の先頭部分に記録するようにしたので、次に斯かる信号が記録されたディスクを使用して記録動作を行うときにはレーザー出力の設定動作を新たに行う必要がなく、信号の記録動作を速やかに開始することが出来る。
【００３４】
そして、本発明は、バッファ領域の先頭部分への記録データの記録動作が終了したとき、該バッファ領域の記録データが記録されている先頭部分以外の領域の消去動作を行うようにしたので、記録データの消去動作を間違って行うことが無いという利点を有している。
【図面の簡単な説明】
【図１】本発明の記録制御方法を示すフローチャートである。
【図２】本発明の記録制御方法に係る光ディスク記録再生装置の一実施例を示すブロック回路図である。
【符号の説明】
１        ディスク
２        光学式ピックアップ
４        ＲＦ信号増幅回路
５        ピックアップ制御回路
６        デジタル信号処理回路
９        システム制御回路
１１        レーザー駆動回路
１２        レーザー出力制御回路
【図１】
0003754265.tif 000002
【図２】
0003754265.tif 000003